(57)【特許請求の範囲】
【請求項１】
装置本体の上部に設置された入出力操作部および印字／読取書込部と、前記装置本体が前方を向いているときの重心の偏りを支持する前方に延長された延長部を有し前記装置本体を水平回動可能に支持する支持台と、前記装置本体の水平回動に連動して前記装置本体が回動した向きに前記支持台から突出し、前記水平回動によって生じる前記入出力操作部、前記印字／読取書込部および前記装置本体の重心の偏りによる偏荷重を支える安定補助台とを有することを特徴とする窓口装置。
【請求項２】
前記支持台には前記装置本体とともに回動するピニオンが設けられ、前記安定補助台には前記ピニオンに噛合されて、前記安定補助台を前記支持台の側方へ出入させるラックが設けられていることを特徴とする請求項１に記載の窓口装置。
【請求項３】
前記装置本体の下部には前記支持台内に臨んで前記装置本体とともに回動するドラムが設けられ、前記安定補助台の二箇所には前記ドラムに少なくとも一周以上巻き付けられた索条の各一端がそれぞれ固定されていることを特徴とする請求項１に記載の窓口装置。
【請求項４】
前記支持台には前記装置本体とともに回動するスプロケットホイールが設けられ、前記安定補助台には前記スプロケットホイールに噛合されて前記安定補助台を前記支持台の側方へ出入させるスプロケットホイールバーが設けられていることを特徴とする請求項１に記載の窓口装置。
【発明の詳細な説明】
【０００１】
【発明の属する技術分野】
本発明は、郵便局や銀行に設置されるスタンドアローン型の伝票帳票処理機などとして用いられる窓口装置に関する。
【０００２】
【従来の技術】
窓口装置は、これの設置場所の状況や利用者の身長などに合わせて最適な高さ、向きに据え付ける必要がある。このため、床面上を移動できるようにキャスターを設けたり、装置本体を床面に設置される支持台に水平回動操作可能にしたものが提案されている。また、このような窓口装置では、装置本体の上部に入出力操作部および帳票等に印字したり帳票を読み取ったりする印字／読取書込部を介して表示装置が載置されており、この表示装置を印字／読取書込部の上方に水平回動するアームに支持させたものも提案されている。従って、印字／読取書込部の保守、点検に当っては、表示装置をその印字／読取書込部の上部カバー上から降ろしたり、アームをカバーの開閉領域外へ回動させて、その上部カバーを外して内部を目視により観察できるようにしている。
【０００３】
【発明が解決しようとする課題】
しかしながら、このような従来の窓口装置にあっては、支持台に対して装置本体を水平回動可能とすると、その装置本体上に設置される入出力操作部や印字／読取書込部の形状やサイズ、重量により、装置全体の重心が装置本体の中心から大きく偏ることがあり、支持台がその偏荷重を支え切れずに傾斜したり倒れたりする場合があるという問題があった。特に、前記のように偏荷重を支えるために、支持台を偏荷重が生じる側に延長したものでは、前記水平回動によって、その延長方向とは異なる側に倒れる危険があった。
【０００４】
また、表示装置が印字／読取書込部の上部または上方に位置する場合に、その印字／読取書込部内の保守、点検ごとに、その表示装置を移動する作業が極めて面倒であり、その保守、点検の作業能率が低下するという問題があった。
【０００５】
本発明は上記のような従来の問題を解決するものであり、支持台に対して装置本体を水平回動させた場合に生じる偏荷重を安定的に支えて、その装置本体の傾きや倒れを確実に防止できる窓口装置を得ることを目的とする。
【０００６】
【課題を解決するための手段】
上記目的達成のため、請求項１の発明にかかる窓口装置は、装置本体の上部に設置された入出力操作部および印字／読取書込部と、前記装置本体が前方を向いているときの重心の偏りを支持する前方に延長された延長部を有し前記装置本体を水平回動可能に支持する支持台と、前記装置本体の水平回動に連動して前記装置本体が回動した向きに前記支持台から突出し、前記水平回動によって生じる前記入出力操作部、前記印字／読取書込部および前記装置本体の重心の偏りによる偏荷重を支える安定補助台とを有するものである。これにより、安定補助台を使って入出力操作部、印字／読取書込部および装置本体の偏荷重を支えて床上に安定保持することができる。
【０００７】
また、請求項２の発明にかかる窓口装置は、前記支持台に装置本体とともに回動するピニオンを設け、前記安定補助台には前記ピニオンに噛合されて、前記安定補助台を前記支持台の側方へ出入させるラックを設けたものである。これにより、極めて単純な構成によって窓口装置を床上に所定の方向に向けた状態にて安定支持できる。
【０００８】
また、請求項３の発明にかかる窓口装置は、前記装置本体の下部には前記支持台内に臨んで前記装置本体とともに回動するドラムを設け、前記安定補助台の二箇所には前記ドラムに少なくとも一周以上巻き付けられた索条の各一端をそれぞれ固定したものである。これにより、ドラムと索条の摩擦抵抗を利用して、静かに安定補助台を床上に所定の方向に向けた状態にて突出させ、窓口装置を安定支持することができる。
【０００９】
また、請求項４の発明にかかる窓口装置は、前記支持台に前記装置本体とともに回動するスプロケットホイールを設け、前記安定補助台には前記スプロケットホイールに噛合されて前記安定補助台を前記支持台の側方へ出入させるスプロケットホイールバーを設けたものである。これにより、高価なギャーやピニオンを用いることなく動作が確実な回転伝達機構を実現できる。
【００２７】
【発明の実施の形態】
以下に、本発明の実施の形態を図について説明する。図１は本発明の窓口装置の全体を示す斜視図であり、これが、装置本体１１と、この装置本体１１上に取り付けられてテンキーなどの操作部１２を有する入出力操作部１３と、この入出力操作部１３上に設置された印字／読取書込部１４と、この印字／読取書込部１４のカバー１４ａ上に設置された表示装置１５と、前記装置本体１１の下部に設けられて、この装置本体１１を水平回動可能に支持する支持台１６とからなる。
【００２８】
なお、入出力操作部１３の操作部１２および印字／読取書込部１４の帳票挿入部１４ｂ付近は、装置本体１１の前面よりも前方に突出しており、従って、この窓口装置全体の重心が前方の高い位置に偏っている。そして、この重心の偏りにより装置本体１１が前方へ傾いたり、倒れたりしないように、支持台１６は前方に大きく延長する延長部１６ａを有する。
【００２９】
また、前記支持台１６の前端部を除く、両側面部および背面部の少なくとも一つ、例えば右側面部には安定補助台１７が出入自在に設けられている。この安定補助台１７は、例えば図２に示すように、支持台１６に対し装置本体１１が角度９０°だけ矢印方向に水平回動させた場合などに、支持台１６の右側面部から引き出されて用いられる。
【００３０】
こうすることにより、入出力操作部１３の操作部１２や印字／読取書込部１４の帳票挿入部１４ｂが右方に臨んで、その右方へ重心が移動し、装置本体１１を傾かせたり、倒したりする可能性がある場合でも、前記安定補助台１７がその傾きや倒れ方向の荷重を支えることとなる。つまり、床上の支持台１６に対して装置本体１１を所定角度分水平回動させたときに発生する重心の偏りによって、装置本体が傾いたり倒れたりするのを、引き出した安定補助台１７を利用して、防止することができる。なお、安定補助台１７の下面にはこれを床面に対して安定支持する接地部材１８が突設されている。
【００３１】
図３は前記安定補助台１７の出入構造を示し、図４に示すような窓口装置をＡ−Ａ線方向で切断した状態で示す。また、図５は要部の縦断面図である。図３および図５において、支持台１６は安定補助台１７が出入できるような容器形をなし、その内部に左右方向に延びる一対のレール取付板１９が取り付けられている。
【００３２】
これらのレール取付板１９には、スライドレール２０を介して断面が平角筒状をなす前記安定補助台１７が摺動自在に支持されている。また、この安定補助台１７にはこれを上下に貫通する上部長孔１７ａおよび下部長孔１７ｂが設けられている。これらの上部長孔１７ａおよび下部長孔１７ｂは左右方向に長く、下部長孔１７ｂの一方の長縁にはラック２１が設けられている。
【００３３】
一方、支持台１６を構成する上部取付板１６ａの中央部には、ベアリング２２が取り付けられており、このベアリング２２に、装置本体１１の底板１１ａの下面に図６に示すように突設された主軸２３が、水平回転可能に挿通されている。この主軸２３は前記上部長孔１７ａを貫通して安定補助台１７内に臨み、下端に大形のギャ２４が取り付けられている。また、前記装置本体１１の底板１１ａと支持台１６の上面との間に、ボールを持った大形のリング状の回転盤２５が介装されている。従って、装置本体１１はこの回転盤２５によって支持台１６上に水平回転自在に支承される。
【００３４】
前記支持台の上部取付板１６ａには、前記ボールベアリング２２から離れた位置にベアリング２６が取り付けられており、このベアリング２６には、下端に小径の小径ギャ２７およびピニオン２８を一体に取り付けた回転軸２９が水平回転自在に支持されている。そして、小径ギャ２７は前記ギャ２４に噛合され、ピニオン２８は前記ラック２１に噛合されている。
【００３５】
このような安定補助台１７の出入構造では、床面に設置された支持台１６に対し、装置本体１１を図２の矢印に示す方向に回動操作すると、主軸２３がギャ２４とともに同方向に回動する。このギャ２４の回動によりこれに噛合されている小径ギャ２７が、ピニオン２８とともに、ギャ２４とは逆方向に回動する。このピニオン２８の回動により、これに噛合されているラック２１が送り出され、安定補助台１７が図２および図３に示すように支持台１６の外へ突出する。こうすることによって、装置本体１１の回動による重心の偏りによって装置本体１１がその回動した方向に傾きまたは倒れようとする偏荷重を、その安定補助台１７により支えることができる。これにより、設置環境や操作者の個人差などの諸事情に合った向きで、本発明の窓口装置を設置および利用でき、サービス性が向上する。
【００３６】
図７および図８は安定補助台１７の他の出入構造を示す。これは、支持台１６の略中央部にベアリング２２を設け、このベアリング２２に装置本体１１の底板１１ａに突設された主軸２３を水平回転自在に支持させ、さらに支持台１６上面に設置した回転盤２５上に底板１１ａの下面を支承させたものからなり、この構成は図５に示したものと略同一である。一方、上部長孔１７ａを貫通して安定補助台１７内に臨む主軸２３の下端には、回転ドラム３０が固定されている。また下部長孔１７ｂの一方の長縁には起立片１７ｃが設けられ、この起立片１７ｃの両端部に索条としてのベルト３１の両端が止着され、このベルト３１の途中は前記回転ドラム３０に緩みなく例えば二回程度巻き付けられている。なお、必要に応じベルト３１に代えてワイヤを用いることは任意である。
【００３７】
この安定補助台１７の出入構造にあっては、装置本体１１を図７の矢印方向に角度９０°分回転させると、主軸２３とともに、回転ドラム３０が同方向に回動する。このため、この回転ドラム３０に巻き付けられているベルト３１はその回動方向に雑音の発生なく静かに送り出され、従って安定補助板１７は図７に示すように支持台１６の右方へ突出する。これにより、装置本体１１の回動に伴って生じる重心移動による偏荷重を、床に支持された安定補助板によって支えることができる。
【００３８】
図９および図１０は安定補助台１７の他の出入構造を示す。これは支持台１６の略中央部にベアリング２２を設け、このベアリング２２に装置本体１１の底板１１ａに突設された主軸２３を水平回転自在に支持させてある。また、支持台１６上面に設置した回転台２５上に底板１１ａの下面を支承させてある。一方、主軸２３の下端には周面に複数の小孔を持ったスプロケットホールホイール３２が固定されている。また、上部取付板１６ｂには、前記ベアリング２２から離れた位置に他のベアリング２６が取り付けられ、このベアリング２６には小径のスプロケットホイール３３ａおよび大径のスプロケットホイール３３ｂを下端に持つ回転軸２９が水平回転可能に支持されている。そして、図１１に示すように小径のスプロケットホイール３３ａは前記スプロケットホールホイール３２に噛合され、大径のスプロケットホイール３３ｂは、下部長孔の一つの長縁に設けられたスプロケットホールバー３４に噛合されている。
【００３９】
この安定補助台１７の出入構造にあっては、装置本体１１を図７の矢印方向に角度９０°分回動させると、主軸２３とともにスプロケットホールホイール３２が同方向に回転する。このため、このスプロケットホールホイール３２に噛合されている小径のスプロケットホイール３３ａが大径のスプロケットホイール３３ｂとともに回転し、このスプロケットホイール３３ｂに噛合されているスプロケットホールバー３４を、図９中において右方へ送り出す。これにより、装置本体１１の回動に伴って生じる重心移動による偏荷重を、床に支持された前記突出中の安定補助台１７により支えることができる。
【００４０】
図１２乃至図１６は設置の向きを変えても床上に安定設置できる窓口装置を示す。図１２および図１３はその方向が異なる設置例であり、全体として支持台１６、装置本体１１、入出力操作部１３、印字／読取書込部１４および表示部１５を有するが、支持台１６上に装置本体１１が固定されている。しかし、この支持台１６は、下面側が図１６に示すように開口しており、装置本体１１直下のこの開口部３５内には中心部に接地部材３６を有する固定盤３７が設置されている。そして、この固定盤３７の上部にはリング状の回転台３８を介して支持台１６の上部取付板１６ｂが支承されている。なお、固定盤３７の下面の四箇所にもねじ付きの接地部材３６が取り付けられており、これらのねじ込み量を調整することにより、床面に対する固定盤３７の傾きやレベル調整が可能になっている。
【００４１】
一方、支持台１６の延長部１６ａ先端には、左右に垂直軸３９を中心に回動操作可能なレバー４０がそれぞれ設けられ、このレバー４０に形成された長円弧孔４１が前脚部材としての補助脚４２の首部（図示しない）を支持している。なお長円弧孔４１付近ではレバー４０の厚みが変化している。従って、操作レバー４０を図１３および図１５に示すように延長部１６ａの先端から前方へ引き出すと長円弧孔４１に首部が支持されている補助脚４２は床面から浮上する。また、操作レバー４０を延長部１６ａ内に押し戻すと、補助脚４２は下降し、下端が床に密着する。
【００４２】
従って、この窓口装置の向きを変える場合には、まず、レバー４０を引き出して補助脚４２を床上から浮上させ、装置本体１１や入出力操作部１４などを両手で持ち、接地環境や使用者の利便に応じた方向に回動操作する。これにより支持台１６や筺体１１が床上に設置された固定盤３７上に載った状態で滑らかに回動する。こうして方向が決まった後は、レバー４０を押し戻すと、補助脚４２は再び下降し、床面に密着する。このため、支持台１６の固定盤３７上での回動が阻止され、窓口装置はその配置位置に安定保持される。
【００４３】
図１７および図１８は印字／読取書込部１４のカバー１４ａに対する前記表示装置１５の取付構造を示す。カバー１４ａの天面には前後方向に亘って配置されたガイド部材としての一対のレール４３が固定されており、これらのレール４３には、移動用キャリヤ４４の左右端面に刻設されたガイド溝４４ａが嵌合しており、これにより、移動用キャリヤ４４は各レール４３に沿って摺動自在とされている。
【００４４】
また、この移動用キャリヤ４４上には表示装置用の保持台４５が一体に設けられており、この保持台４５上に表示装置１５が支持されている。なお、ガイド部材としての前記レール４３および移動用キャリヤ４４は、表示装置１５をカバー１４ａ上の所定位置に摺動させて保持する摺動保持装置Ｈを構成している。また前記カバー１４ａは印字／読取書込部１４の後端部を支点として開閉操作可能となっている。
【００４５】
この表示装置１５の取付構造にあっては、移動用キャリヤ４４をレール４３に沿って移動させて、所定位置にて保持できる。従って、図１８に鎖線で示すように、表示装置１５をカバー１４ａの最後部へ移動させた場合には、カバー１４ａの後部の重量が他より顕著に大きくなるため、表示装置１５が前方に位置する場合に比べて、より小さい力でカバー１４ａの開閉が行えるようになる。従って、カバー１４ａを開いて印字／読込書込部１４ａ内部の保守、点検作業が行い易くなる。従って、表示装置１５のみをカバー１４ａ上から降ろすという従来における面倒な作業もなくなる。
【００４６】
なお、前記のような移動用キャリヤ４４および保持台４５を、図１９に示すように一体化した保持台付移動用キャリヤ４６とすることもでき、これにより表示装置移動構造の単純化とデザイン性の向上を図ることができる。また、図１７に示したレール４３に代えて、図２０に示すような一対の丸棒状のガイドシャフト４７を用い、これに移動用キャリヤ４４に設けられたガイド孔４８を挿通することで、移動用キャリヤ４４をガイドシャフト４７に沿って前後方向の所定位置にスムースに移動させることができる。なお、４９は表示装置１５に導出された表示信号出力用のケーブルである。これにより表示装置移動構造の単純化とローコスト化を実現できる。
【００４７】
さらに、図１９に示すような保持台付移動用キャリヤ４６の楔状ガイド突起４６ａの楔形ガイド突起４６ａを、図２１に示すように、カバー１４ａ上において前後に形成した一対の蟻溝５０に沿って摺動させるような構造を採用することもできる。なお、各蟻溝５０端間には保持台４６の後方への脱抜を規制するストッパ５１が固定されている。これによれば、カバー１４ａ自体を保持台付移動用キャリヤ４６のガイドとして利用することとなるため、ガイド構造が堅牢で折曲または破損するなどの問題をなくすることができる。
【００４８】
図２２乃至図２５は表示装置１５を支持する移動用キャリヤ４４をカバー１４ａ上の最前部および最後部の位置にてロックするストッパロック機構の一例を示す。同図において、カバー１４ａ上の前後位置には一対のシャフトホルダ５２が固定されており、前後に対向する各シャフトホルダ５２間には二本のガイドシャフト４７が架設、固定されている。また、これらのガイドシャフト４７には、図２０に示したものと同じく、移動用キャリヤ４４が摺動自在に取り付けられ、この移動用キャリヤ４４上に保持台４５を介して表示装置１５が取り付けられている。
【００４９】
また、移動用キャリヤ４４における一方のガイドシャフト４７の貫通部付近には縦孔５３が穿設され、この縦孔５３内に丸棒形のロック解除部材５４が昇降可能に挿入されている。また、このロック解除部材５４外周に突設したフランジ部５５と縦孔５３内の下部に設けた突縁５６との間には、ロック解除部材５４を常時上方に付勢するコイルスプリング５７が介装されている。５８はロック解除部材５４の上方への抜け止めをする抜け止め部である。なお、図示しないが、このロック解除部材５４の縦孔５３内への組み付けを可能とするように、この抜け止め部は、例えば縦孔５３にねじ込み可能なリング部材とされる。
【００５０】
一方、移動用キャリヤ４４の底面には、Ｌ字状の板スプリング５９の一端部がねじ６０により固定されており、この板スプリング５９の角部付近の上面には前記ロック解除部材５４の下端が接触または対向するように臨んでいる。また、板スプリング５９の他端は前記ガイドシャフト４７の下方に臨み、その他端にはロックピン６１が上方に向って突出するように固定されている。なお、このロックピン６１の先端は円弧状にかつ円滑に形成されている。そして、このロックピン６１は、ガイドシャフト４７の両端部に形成されたロック孔６２内に嵌合可能とされている。このロックピン６１およびロック孔６２は移動ロック装置Ｌ１を構成している。なお、６３はカバー１４ａと印字／読取書込部１４の各後端部間のヒンジ部である。
【００５１】
このような移動用キャリヤ４４のロック機構によれば、表示装置１５が最前部にあるとき、図２３、図２４に示すように、コイルスプリング５７によってロック解除部材５４が上方に押し上げられているため、板スプリング５９が平坦な状態となる。従って、ロックピン６１がロック孔６２内に嵌まり込み、表示装置１５はその最前部の位置に安定保持される。一方、カバー１４ａを開放する場合には、ロック解除部材５４を前記コイルスプリング５７の反発力に抗して押し下げながら、移動用キャリヤ４４を、ガイドシャフト４７に沿ってカバー１４ａの最後部まで移動させる。このとき、ロック解除部材５４の下端は板スプリング５９を押し下げて撓ませるため、ロックピン６１がロック孔６２から脱出する。そして、前記最後部位置に至ったとき、ロック解除部材５４の押し下げを止め、これをコイルスプリング５７および板スプリング５９の反発力を利用してフリー状態にして、上方に復帰させる。このとき板スプリング５９も元の平坦な状態へ復帰し、従ってロックピン６１が最後部にあるロック孔６２に嵌まり込む。これにより、表示装置１５はその最後部の位置に安定保持され、カバー１４ａのヒンジ部６３を中心とする開閉操作が軽快に行えるとともに、表示装置１５がカバー１４ａ上で位置ずれすることがなくなる。
【００５２】
図２６乃至図２９は移動用キャリヤの他のストップロック機構を示す。これが図２２乃至図２５に示したものと異なるところは、Ｌ字状の平坦な板スプリング５９に代えて、先端に三角山形に屈曲した係止部６４を有するＬ字状の板スプリング６５を用い、これの他端を前記同様にねじ６０により移動用キャリヤ４４の下面に固定したことと、一方のガイドシャフト４７の前後端部に、前記係止部６４が脱抜自在に嵌まり込む三角溝形の係止溝６６を設けたことの二点である。係止部６４および係止溝６６は移動ロック装置Ｌ２を構成している。このストップロック機構にあっては、係止溝６６に係止部６４が嵌まり込んでいる状態では、移動用キャリヤ４４はガイドシャフト４７上に安定保持され、従って、表示装置１５はガイドシャフト４７上の前後端の二つの位置に安定的に停止している。一方、その位置の一方から他方へ移動される場合には、移動用キャリヤ４４をガイドシャフト４７方向に強く押し出す。これにより、係止溝６６内の係止部６４は下方へ押し出されるため、その後は前記移動がスムースに行われる。また、移動用キャリヤ４４が最他端にくると、係止部６４はその最他端にある係止溝６６に嵌まり込むため、その位置で停止保持される。つまり、係止部６４と係止溝６６との嵌合および嵌合解除によるクリック動作によって、移動用キャリヤは二つの位置に安定に保持され、表示装置１５がこうして最後部に保持されたとき、カバー１４ａの開閉が小さい操作力でスムースに行える。
【００５３】
図３０乃至図３４はカバー１４ａの開閉ロック機構を示す。これは印字／読取書込部１４の上部に、カバー１４ａ内に突出するロックスタッド６７を設け、その上端には後方に開口する係止溝６８が形成されている。また、カバー１４ａ内には、前後方向に長いロックプレート６９が、図３２に示すようなガイド７０によって摺動案内されるように設けられ、その後端に近い位置に係止突起７１が設けられている。ロックスタッド６７およびロックプレート６９はカバーロック機構Ｍを構成している。
【００５４】
さらに、一対のガイドシャフト４７の両端を支持するシャフトホルダ５２のうち、後端部のシャフトホルダ５２内には、前記ロックプレート６９の後端面に接触し、かつ円弧状に膨らんだ板スプリング７２が保持されている。また、ガイドシャフト４７に沿って摺動する移動用キャリヤ４４内にはロック解除プレート７３が垂下固定され、これが係止突起７１の前部に位置している。
【００５５】
このようなカバー１４ａの開閉ロック機構では、表示装置１５を支持する移動用キャリヤ４４が、そのカバー１４ａ上の最後部の位置を除く部位、例えば最前部や中央部にあるときには、ロック解除プレート７３が係止突起７１から右方に離れた位置にある。このため、係止突起７１はフリー状態であり、ロックプレート６９の後端は円弧状に突出する板スプリング７２によって図３０中右方へ押される。従って、ロックプレート６９は右方へ付勢されて、右端がロックスタッド６７の係止溝６８内に図３３に示すように嵌まり込んでいる。なお、ロックスタッド６７は印字／読取書込部１４内の機構部７４にねじ７５により固定されている。従って、表示装置１５が最前部や中央部にある場合には、カバー１４ａの開閉を行うことができない。
【００５６】
しかし、表示装置１５を移動用キャリヤ４４とともに最後部に移動させると、ロック解除プレート７３も同方向に移動し、これが係止突起７１を図３０において左方向へ押し出す。このため、ロックプレート６９は同方向へ移動し、これの後端部が板スプリング７２をこれの膨らみをつぶす方向に後退する。この後退動作によりロックプレート６９の右端が、図３４に示すようにロックスタッド６７の係止溝６８から外れる。従って、表示装置１５がカバー１４ａ上の最後端に位置するときのみ、カバー１４ａの開閉を安全かつ軽快に行えることとなる。
【００５７】
図３５はカバー１４ａ上での表示装置１５の前後位置に対する個人差に対応して、移動用キャリヤ４４の移動位置をガイドシャフト４７上で微調整可能にしたものを示す。同図において、７６は移動用キャリヤ４４内に回転自在に設けられた摩擦ローラであり、これの外周面がガイドシャフト４７に対して所定の摩擦抵抗をもって接触している。また、７７は移動用キャリヤ４４の外側面に突設された回転操作自在の微調ダイヤルであり、この微調ダイアル７７の回転軸７７ａと前記摩擦ローラ７６の回転軸７６ａに取り付けられて各スプロケット（図示しない）との間には、エンドレスチェーン７８が懸架されている。摩擦ローラ７６および微調ダイヤル７７は微調整装置Ｎを構成している。従って、微調ダイヤル７７を指で回転操作することにより、エンドレスチェーン７８を介して摩擦ローラ７６が回転し、その回転量だけ移動用キャリヤ４４がガイドシャフト４７上を少しずつ移動することとなる。
【００５８】
図３６は前記表示装置１５の角度調整機構を示す。ガイドシャフト４７に沿って摺動する移動用キャリヤ４４には保持台４５が一体に取り付けられている。この保持台４５上に立設された垂直軸７９には、この垂直軸７９とともに、スイーベル機構Ｓを構成する略半円形の水平回動台８０が支持されている。また、この水平回動台８０の一部に切欠８１が形成されており、この切欠８１を貫通する水平軸８２には、この水平軸８２とともにチルト機構Ｔを構成する垂直回動台８３が支持されている。この垂直回動台８３には表示装置１５が固定されている。従って、これらのスイーベル機構Ｓおよびチルト機構Ｔによる表示装置１５の傾き調整によって、個人差に応じた表示装置の利用が可能となる。
【００５９】
図３７乃至図４３は前記表示装置１５の移動用キャリヤを示す。この移動用キャリヤ４４Ａは前記と異なり、カバー１４Ａ後端の配線カバー８４に連続するように、スライドイン／スライドアウト機構を構成する三個の薄形の連結部材８５ａ、８５ｂ、８５ｃを相互に出入自在に連結したものからなる。そして、最前部の連結部材８５ａ上には、図３６に示したものと同様に、スイーベル機構Ｓおよびチルト機構Ｔを介して表示装置１５が取り付けられている。
【００６０】
このような移動キャリヤ４４Ａによれば、表示装置１５がカバー１４ａ上の最後部に位置するように、連結部材８５ａ、８５ｂを連結部材８５ｃ内に収納した場合には、表示装置の重心が後方にあるため、カバー１４ａの小さな操作力による開閉が容易になる。また、このとき、表示装置１５をチルト機構Ｔを利用してカバー１４ａ上に図４０の矢印方向および図４１に示すように倒すことにより、カバー１４ａ上部の表示装置１５の占有空間を小さく抑えることができる。従って、梱包および運搬が容易になる。
【００６１】
また、図３９に示すように表示装置１５をカバー１４ａ上の最前部に位置させて状態にて、スイーベル機構Ｓを利用して図４２に示すように１８０°の角度回動させて、表示装置１５をその表示面が下方に向くように、回動操作し、さらに図４２、図４３に示すように連結部材８５ｂ上に重ねることによっても、表示装置１５全体の占有空間を小さく抑えることができる。
【００６２】
図４４乃至図４６はカバー１４ａの開閉支持機構を示す。これによれば、前記印字／読取書込部１４内に支持ブラケット８６を取り付け、このブラケット８６に取り付けられた軸８７に対し、長孔８８を持ったアーム８９の一端を回動自在に軸支してある。一方、カバー１４ａ内にはガススプリング９０のシリンダ側の一端がピン９１によって軸支され、ピストンロッド側の一端部が、前記長孔８７内にスライドピン９２を介して摺動自在に取り付けられている。なお、９３はアーム８９が印字／読取書込部１４の底部１４ｂに撃突するのを防止するクッションである。
【００６３】
このようなカバー１４ａの開閉支持機構はガススプリング９０を有するため、所定の印加荷重以下では、ビストンロッドのシリンダに対する所定のストローク位置を保持し、一方、前記所定の印加荷重以上の操作力を加えることにより、ガススプリング９０は伸長または収縮し、その操作力を解除した位置で停止する。従って、カバー１４ａを印字／読取書込部１４に対し、ヒンジ部６３を中心として角度９０°分開いた場合には、スライドピン９２がアーム８９における長孔８８の最上端に至り、さらにガススプリング９０は最大伸長する。このとき、カバー１４ａは最大開き、自重により落下することはない。
【００６４】
一方、カバー１４ａを例えば４０°〜５０°の角度に半開きする場合には、スライドピン９２のみを、図４５に示すように前記長孔８８の最下端に位置させた状態にて、ガススプリング９０のみを最大伸長させればよい。さらに、カバー１４ａを全閉状態にする場合には、スライドピン９２を、図４６に示すように前記長孔の最下端（図中、左端）に位置させるとともに、ガススプリング１４ａを最大収縮させればよい。この場合において、ガススプリング９０は操作力を加えることによってシリンダ内のガス反力を受けて緩慢に伸縮するため、表示装置１５などを載置したカバー１４ａの開閉を静かに、かつスムースに、さらに安全に行うことができる。また、印字部のインクリボンカートリッジの交換や消耗品の保守点検を、窓口装置の設置環境や作業スペースなどに応じて、カバー１４ａを任意に半開または全開して行うことができる。
【００６５】
図４７乃至図５３はカバー１４ａの他の開閉支持機構を示す。これは、印字／読取書込部１４の側板にねじ１０１により取り付けられた平板状のガイドプレート９４に水平ガイド孔９５ａおよび上方に膨らむ円弧ガイド孔９５ｂを連続するように設け、これらの水平ガイド孔９５ａおよび円弧ガイド孔９５ｂ内には、ステー９６の下端に取り付けられたローラ９７が移動自在に嵌挿されている。またステー９６の上端はカバー１４ａの側板に支軸９８により回動自在に支持されている。さらに、水平ガイド孔９５ａの前後端部には、これらに連続するとともに斜め下方に落込む各一のロック切欠部９９、１００が設けられ。これらの各ロック切欠部９９、１００には前記ローラ９７が落ち込んだとき、ステー９６の上端に支持されたカバー１４ａを安定支持するようになっている。
【００６６】
また、円弧ガイド孔９５ｂ付近のガイドプレート９４には、支軸１０２を中心に回動するダンパアーム１０３の中央部が軸支されている。そのダンパアーム１０３の下端とガイドプレート９４の前部とにダンパスプリング１０４の両端がそれぞれ取り付けられている。さらに、このダンパアーム１０３の上端にはダンパローラ１０５が回転自在に取り付けられており、このダンパローラ１０５が円弧ガイド孔９５ｂ内に移動可能に嵌挿されている。なお、この円弧ガイド孔９５ｂはダンパローラ１０５の支軸１０２を中心とする回動軌跡に沿って設けられている。
【００６７】
１０６はガイドプレート９４の前端に穿設された係止孔、１０７はカバー１４ａの側板前部に取付台１０８を介して設けられた板ばね、１０９はこの板ばね１０７の外側面に突設された係止爪、１１０は図５３に示すように取付台１０８に設けられたスプリング収納孔、１１１はこのスプリング収納孔１１０内に収納されたコイルスプリング、１１２はこのコイルスプリング１１１によりフランジ部１１２ａが支持されて、一端がカバー１４ａの側部へ突出するラッチレリーズボタンである。なお、このラッチレリーズボタン１１２の他端は板ばね１０７の一側面に接触している。
【００６８】
このカバー１４ａの開閉支持構造にあっては、図４９に示すように、カバー１４ａをヒンジ部６３を中心とする回動操作によって最大開放する場合には、ステー９６端のローラ９７が円弧ガイド孔９５ｂの端部から水平ガイド孔９５ａの端部に転動し、最後端で僅かカバー１４ａを戻し操作すると、そのローラ９７はロック切欠部９９内に落ち込む。これにより前記最大開放状態が維持される。またこの状態からカバー１４ａを半開き状態とするには、カバー１４ａとともにステー９６を少し持ち上げてローラ９７をロック切欠部９９から出し、水平ガイド孔９５ａに沿ってさらに前方に転動させる。すると、ローラ９７はロック切欠部１００内に落ち込み、カバー１４ａは半開き状態に保持される。ダンパスプリング１０４はダンパアーム１０３とガイドプレート９４上のピン１１４との間に張設されて、ダンパアーム１０３を常時半時計方向に付勢している。
【００６９】
また、前記カバー１４ａを完全に閉じる場合には、カバー１４ａとともにステー９６を少し持ち上げて、ローラ９７を水平ガイド孔９５ａから円弧ガイド孔９５ｂに向って転動させる。これにより、ステー９６は図５１にも示すように次第に大きく傾斜していき、このステー９６の下端部が図５１および図５２に示すように、円弧ガイド孔９５ｂ内にあるダンパローラ１０５を押し上げる。従って、ダンパアーム１０３はコイルスプリング１１３に抗して支軸１０２を中心に時計方向に回動する。
【００７０】
従って、ダンパアーム１０３の上端部はそのコイルスプリング１１３の反発力を受けて回動し、ダンパローラ１０５はゆっくりと円弧ガイド孔９５ｂ内の端部まで移動する。従って、カバー１４ａは閉成行程付近でゆっくりと閉じられる。また、カバー１４ａが完全に閉じた状態にあっては、板ばね１０７に支持された係止爪１０９がガイドプレート９４の係止孔１０６に嵌まり込み、その閉止状態が安定保持される。
【００７１】
一方、前記カバー１４ａの側方に突出するラッチレリーズボタン１１２を図５３の矢印方向へ押し込むと、前記板スプリング１０７は強制的に押し込まれ、この板スプリング１０７が撓むことによって係止爪１０９が係止孔１０６から外れる。このため、これまで伸長していたコイルスプリング１０４の反発力によってダンパアーム１０３が反時計方向に回動付勢されて、ローラ９７を円弧ガイド孔９５ｂから水平ガイド孔９５ａへ押し戻そうとする力が働く。従って、ローラ９７はゆっくりと各孔９５ｂから９５ａへと移動して、水平ガイド孔９５ａに差し掛かる位置まで自動的に移動する。このあとは、手動操作によりカバー１４ａを開放操作することにより、これを前記のように全開または半開の所定位置に保持させることができる。
【００７２】
これにより、表示装置を載置したカバー１４ａの開閉を静かに、且つスムーズに、さらに安全に行なうことができる。また、このメカニカルな構成により、前記のようなガススプリングの使用を回避でき、カバー１４ａの開閉支持機構のコストダウンを図ることができる。
【００７３】
図５４乃至図５７はカバー１４ａにおける表示装置１５のガイド構造を示す。このカバー１４ａはこれの前後方向に亘って幅が広いガイド孔１１５を有し、このガイド孔１１５の各長辺部付近のカバー１４ａの内面には、そのカバー１４ａとの間に板状の移動用キャリ４４Ａを摺動支持するスライドガイド部材１１６が設けられている。また、この移動キャリヤ４４Ａの前後端には、前記長孔１１５より幅の広い膜状のコンストンスプリング１１７、１１８の各一端が固定され、各他端はカバー１４ａ内の前後両端部に巻回状態にて支持されている。従って、前記長孔１１５は移動用キャリヤ４４Ａおよび両コンストンスプリング１１７、１１８によって塞がれ、カバー１４ａの上方からそのカバー１４ａの内部を見ることはできない。また、移動用キャリヤ４４Ａの前後方向への移動によって、コンストンリング１１７、１１８の一方が引き出され、他方が巻き取られるように動作する。
【００７４】
また、移動用キャリヤ４４Ａには、保持台１１９を介してスイーベル機構の水平回動台８０が取り付けられ、この水平回動台８０上にチルト機構の垂直回動台８３が取り付けられている。さらに、この垂直回動台８３に前記同様に表示装置１５が支持されている。また、１２０は印字／読取書込部１４内からカバー１４ａ内を経て表示装置１５に導かれるケーブルであり、このケーブル１２０は移動用キャリヤ４４Ａおよび保持台１１９に設けられた配線孔１２１、１２２内にも導かれている。
【００７５】
従って、このような表示装置１５のガイド構造によれば、ガイド部材１１６がカバー１４ａの内側にあるため、カバー１４ａにおける表示装置の配置、デザインがシンプルになるとともに、表示装置１５に導かれるケーブル１２０がコンストンスプリング１１７、１１８の膜下に隠れ、表示装置回りの構成、デザインが美しくなるという利点が得られる。
【００７６】
【発明の効果】
以上のように、本発明によれば水平回転によって生じる入出力操作部、印字／読取書込部および装置本体の重心の偏りによる偏荷重を支える安定補助台を、支持台の少なくとも一つの側方へ出入自在に設けたので、安定補助台を使って前記入出力操作部、印字／読取書込部および装置本体の偏荷重を支えて床上に安定保持することができるという効果が得られる。
【図面の簡単な説明】
【図１】本発明の実施の一形態による窓口装置を示す斜視図
【図２】図１に示す窓口装置の一部を方向変換した状態の斜視図
【図３】図４のＡ−Ａ線における断面図
【図４】図２に示す窓口装置の側面図
【図５】図１に示す窓口装置の要部の縦断面図
【図６】図５における筺体の底板を示す下面図
【図７】本発明における安定補助台の他の出入構造を概念的に示す図４のＡ−Ａ線における断面図
【図８】図７に示す安定補助台の出入構造を示す要部の縦断面図
【図９】本発明における安定補助台の他の出入構造を示す図４のＡ−Ａ線における断面図
【図１０】図９に示す安定補助台の出入構造を示す要部の縦断面図
【図１１】図１０における要部の拡大斜視図
【図１２】本発明の実施の他の形態による窓口装置を示す斜視図
【図１３】図１２の窓口装置を方向を変えて示す斜視図
【図１４】図１２の窓口装置の方向を変えた状態を概念的に示す下面図
【図１５】図１３における支持台の要部を示す下面図
【図１６】図１３における支持台の要部を示す縦断面図
【図１７】本発明の窓口装置における表示装置の取付構造を示す要部斜視図
【図１８】図１７に示す窓口装置の使用例を示す側面図
【図１９】本発明の窓口装置における表示装置の他の取付構造を示す斜視図
【図２０】本発明の窓口装置における表示装置の他の取付構造を示す斜視図
【図２１】本発明の窓口装置における表示装置の他の取付構造を示す斜視図
【図２２】本発明における移動用キャリヤのストップロック機構を示す要部の平面図
【図２３】図２２におけるストップロック機構の側面図
【図２４】図２２におけるストップロック機構の詳細を概念的に示す斜視図
【図２５】図２２におけるストップロック機構の詳細を示す要部の縦断面図
【図２６】本発明における移動用キャリヤの他のストップロック機構を示す要部の平面図
【図２７】図２６におけるストップロック機構の側面図
【図２８】図２６におけるストップロック機構の詳細を概念的に示す斜視図
【図２９】図２６におけるストップロック機構の詳細を示す要部の縦断面図
【図３０】本発明におけるカバーの開閉ロック機構を示す要部の縦断面図
【図３１】図１に示すカバーの開閉ロック機構を示す要部の平面図
【図３２】図３０における要部のＣ−Ｃ断面図
【図３３】図３０におけるロックプレートのロックスタッドによる係合状態を示す斜視図
【図３４】図３０におけるロックプレートのロックスタッドによる係合解除状態を示す斜視図
【図３５】本発明における移動用キャリヤの微調整機構を示す要部の側面図
【図３６】本発明における表示装置の角度調整機構を示す斜視図
【図３７】本発明における表示装置の移動用キャリヤを示す斜視図
【図３８】図３７における移動用キャリヤを示す平面図
【図３９】図３７における最伸長時の移動用キャリヤを示す縦断面図
【図４０】図３７における最収縮時の移動用キャリヤを示す縦断面図
【図４１】図４０における表示装置を倒した状態の縦断面図
【図４２】図４０における表示装置を回転させた後傾動する状態を示す縦断面図
【図４３】図４０における表示装置を回転させた後倒した状態を示す縦断面図
【図４４】本発明におけるカバーの開閉支持機構を示す要部の縦断面図
【図４５】図４４におけるカバーを半開きした状態の開閉支持機構を示す要部の縦断面図
【図４６】図４４におけるカバーを閉止した状態の開閉支持機構を示す要部の縦断面図
【図４７】本発明におけるカバーの他の開閉支持機構を示す要部の縦断面図
【図４８】図４７における開閉支持機構を示す要部の平断面図
【図４９】図４７における開閉支持機構を示す要部の拡大斜視図
【図５０】図４９におけるカバーの半開き状態を示す要部の斜視図
【図５１】図５におけるカバーをさらに閉じた状態を示す要部の斜視図
【図５２】図５１におけるカバーを完全に閉止した状態を示す要部の斜視図
【図５３】図５２におけるカバーの閉止ロック構造を示す要部の縦断面図
【図５４】本発明における表示装置のガイド構造を示す要部の斜視図
【図５５】図５４における表示装置のガイド構造を示す要部の縦断面図
【図５６】図５４における表示装置のガイド構造を示す平面図
【図５７】図５４における表示装置のガイド構造を示す要部の縦断背面図
【符号の説明】
１１  装置本体
１３  入出力操作部
１４  印字／読取書込部
１４ａ  カバー
１５  表示装置
１６  支持台
１７  安定補助台
２１  ラック
３０  回転ドラム
３１  ベルト（索条）
３３ｂ  スプロケットホイール
３４  スプロケットホールバー
３７  固定盤
４０  レバー
４２  補助脚
４３  レール（ガイド部材）
４４、４４Ａ  移動用キャリヤ
４５  保持台
４６ａ  楔形ガイド突起
４７  ガイドシャフト
４８  ガイド孔
５０  蟻溝
８５ａ〜８５ｃ  連結部材
８９  アーム
９０  ガススプリング
９４  ガイドプレート
９５ａ  水平ガイド孔
９５ｂ  円弧ガイド孔
９６  ステー
９７  ローラ
９９、１００  ロック切欠部
１０４  ダンパスプリング
１０５  ダンパローラ
１１５  ガイド孔
１１７、１１８  コンストンスプリング
１１９  保持台
１２０  ケーブル
Ｈ  摺動保持装置
Ｌ１、Ｌ２  移動ロック装置
Ｍ  カバーロック機構
Ｎ  微調整装置
Ｓ  スイーベル機構
Ｔ  チルト機構
【図１】
0003665017.tif 000002
【図２】
0003665017.tif 000003
【図３】
0003665017.tif 000004
【図４】
0003665017.tif 000005
【図５】
0003665017.tif 000006
【図６】
0003665017.tif 000007
【図７】
0003665017.tif 000008
【図８】
0003665017.tif 000009
【図９】
0003665017.tif 000010
【図１０】
0003665017.tif 000011
【図１１】
0003665017.tif 000012
【図１２】
0003665017.tif 000013
【図１３】
0003665017.tif 000014
【図１４】
0003665017.tif 000015
【図１５】
0003665017.tif 000016
【図１６】
0003665017.tif 000017
【図１７】
0003665017.tif 000018
【図１８】
0003665017.tif 000019
【図１９】
0003665017.tif 000020
【図２０】
0003665017.tif 000021
【図２１】
0003665017.tif 000022
【図２２】
0003665017.tif 000023
【図２３】
0003665017.tif 000024
【図２４】
0003665017.tif 000025
【図２５】
0003665017.tif 000026
【図２６】
0003665017.tif 000027
【図２７】
0003665017.tif 000028
【図２８】
0003665017.tif 000029
【図２９】
0003665017.tif 000030
【図３０】
0003665017.tif 000031
【図３１】
0003665017.tif 000032
【図３２】
0003665017.tif 000033
【図３３】
0003665017.tif 000034
【図３４】
0003665017.tif 000035
【図３５】
0003665017.tif 000036
【図３６】
0003665017.tif 000037
【図３７】
0003665017.tif 000038
【図３８】
0003665017.tif 000039
【図３９】
0003665017.tif 000040
【図４０】
0003665017.tif 000041
【図４１】
0003665017.tif 000042
【図４２】
0003665017.tif 000043
【図４３】
0003665017.tif 000044
【図４４】
0003665017.tif 000045
【図４５】
0003665017.tif 000046
【図４６】
0003665017.tif 000047
【図４７】
0003665017.tif 000048
【図４８】
0003665017.tif 000049
【図４９】
0003665017.tif 000050
【図５０】
0003665017.tif 000051
【図５１】
0003665017.tif 000052
【図５２】
0003665017.tif 000053
【図５３】
0003665017.tif 000054
【図５４】
0003665017.tif 000055
【図５５】
0003665017.tif 000056
【図５６】
0003665017.tif 000057
【図５７】
0003665017.tif 000058